(57)【要約】【課題】装置本体へデータを伝送中のリモコン等の操作装置に対しても電力の供給ができることにより、操作装置から装置本体に連続して長時間のデータの伝送が可能なリモコンシステムを提供する。【解決手段】オーディオ本体２に、リモコン１が着脱自在に装着されるリモコン装着部２３と、リモコン１がリモコン装着部２３に装着されている状態でリモコン１から発せられる信号を受信する第２の受信部２２と、およびリモコン１がリモコン装着部２３に装着されている状態でリモコン１に電力を供給する電力供給部２７と、を設けて、リモコン１から第２の受信部２２に対して信号を出力中においてもリモコン１に電力の供給を可能にする。【選択図】図２
2004145911.tif 000002
【特許請求の範囲】
【請求項１】
装置本体と、前記装置本体の第１の受信部に対して信号を出力し前記装置本体の遠隔操作が可能な操作装置と、を備えたリモコンシステムにおいて、
前記装置本体は、前記操作装置が着脱自在に装着される装着部と、前記操作装置が前記装着部に装着されている状態で前記操作装置から発せられる前記信号を受信する第２の受信部と、前記操作装置が前記装着部に装着されている状態で前記操作装置に電力を供給する電力供給部と、を備えたことを特徴とするリモコンシステム。
【請求項２】
前記操作装置は、前記信号として出力すべき情報を記憶した記憶媒体が装着される記憶内容読取部を備えたことを特徴とする請求項１に記載のリモコンシステム。
【請求項３】
前記操作装置は、前記操作装置が前記装着部に装着されたことを検出する検出部を備え、
前記記憶媒体が前記記憶内容読取部に装着された状態で、前記検出部によって前記操作装置が前記装着部に装着されたことが検出されたときには、前記記憶媒体の記憶内容に基づく信号を前記装置本体に出力することを特徴とする請求項２に記載のリモコンシステム。
【請求項４】
前記第１の受信部と前記第２の受信部とが共通することを特徴とする請求項１〜３のいずれかに記載のリモコンシステム。
【発明の詳細な説明】
【０００１】
【発明の属する技術分野】
この発明は、例えば、オーディオ機器等のように、装置本体と、この装置本体を遠隔操作する操作装置と、を備えたリモコンシステムに関する。
【０００２】
【従来の技術】
一般的に、オーディオ機器等の電子機器の装置本体（以下、単に装置本体という。）の作動をワイヤレスで制御する場合には、赤外線等を利用したリモートコントローラ（以下、リモコンという。）が使用されている。通常、装置本体側には、リモコンから出力されるリモコン信号を受信するためのリモコン受信ユニットが設けられており、このリモコンとリモコン信号受信ユニットとの組み合わせによりリモコンシステムが形成される。
【０００３】
このリモコンシステムにおいて、リモコンからは、例えば、赤外線をコード化して３０〜６０ｋＨｚで変調した信号がリモコン信号として送信される。これに対して、リモコン信号受信ユニット側では、受信されたリモコン信号が電気信号に変換され、この電気信号がさらに復調されコード信号に変換された後に、装置本体の動作を制御するマイコン等に送られる。そして、マイコンでは送られてくるコード信号に基づいた制御が実行されて、装置本体の動作の制御が行われる。
【０００４】
ところが、上述のリモコンシステムでは、伝送距離や伝送速度の点で改善の余地があり、伝送距離がより長く、伝送速度がより速い通信手段が必要となる場合がある。例えば、近年ではリモコンから電子機器の装置本体に送信される情報が複雑化しており、リモコンから装置本体に送信されるデータの容量が大きくなる場合があるため、可能な限り通信速度を向上させることが実用上望ましいといえる。また、ワイヤレスリモコンを用いる場合、いかにしてリモコン側の電池寿命を延ばすかが重要になる。
【０００５】
そこで、従来の通信手段の中には、赤外線を利用した通信フォーマットとして、ＩｒＤＡコントロールがあり、この方式を利用すると、上述した通常のリモコンシステムよりも伝送距離が長く、かつ、伝送速度が速いシステムを実現することができる。
【０００６】
また、従来のワイヤレスリモコンの中には、リモコンの操作状態に応じて受信に対する給電間隔を調整することにより、リモコンの電池寿命を長くする工夫をしているものがあった（例えば、特許文献１参照。）。
【０００７】
【特許文献１】
特開平４−１９２９９６号公報
【発明が解決しようとする課題】
しかしながら、上述のＩｒＤＡコントロール方式を利用する場合であっても、データの伝送に長時間を要し、データの伝送処理において不都合が生じる場合がある。
【０００８】
例えば、通常のリモコンシステムやＩｒＤＡコントロール方式を利用して、楽曲情報等の大容量のデータが情報信号としてリモコンから電子機器の装置本体にワイヤレス伝送される場合があるが、このような場合には、リモコンと電子機器との間で伝送する情報量が増大するため、ＩｒＤＡコントロール方式によってもデータの伝送に長時間を要することになる。
【０００９】
このとき、通信中のリモコンにおいて多大な電力が消費されるため、電池の消耗が早まりリモコンの電池交換あるいは電池充電の回数が増え、その応対が煩わしくなる。さらに、リモコンの電池の残量が少ない状態で通信を開始したときには、データの伝送途中で電池切れによる伝送エラーの危険性が高くなる。そして、上述のリモコンの使用態様においては、特許文献１の発明を用いてもリモコンの電池の長寿命化に寄与することができない。
【００１０】
この発明の目的は、装置本体へデータを伝送中のリモコン等の操作装置に対しても電力の供給ができることにより、操作装置から装置本体に連続して長時間のデータの伝送が可能なリモコンシステムを提供することである。
【００１１】
【課題を解決するための手段】
この発明は以下の構成を備えている。
【００１２】
（１）装置本体と、前記装置本体の第１の受信部に対して信号を出力し前記装置本体の遠隔操作が可能な操作装置と、を備えたリモコンシステムにおいて、
前記装置本体は、前記操作装置が着脱自在に装着される装着部と、前記操作装置が前記装着部に装着されている状態で前記操作装置から発せられる前記信号を受信する第２の受信部と、前記操作装置が前記装着部に装着されている状態で前記操作装置に電力を供給する電力供給部と、を備えたことを特徴とする。
【００１３】
この構成においては、リモコン等の操作装置を着脱自在に装着する装置本体の装着部に操作装置が装着されると、前記操作装置は電力供給部から電力の供給を受け得る状態になるとともに、装置本体側に設けられた第２の受信部によって、前記装着部に装着された前記操作装置から出力される信号が確実に受信される。
【００１４】
したがって、前記操作装置から前記第２の受信部に信号が出力される際には、前記操作装置は、適宜、前記電力供給部からの電力供給が受けられるため、前記操作装置から前記第２の受信部に連続的に長時間にわたって信号の出力がされる場合でも、前記操作装置の電池が切れる等の不都合が防止される。
【００１５】
（２）前記操作装置は、前記信号として出力すべき情報を記憶した記憶媒体が装着される記憶内容読取部を備えたことを特徴とする。
【００１６】
この構成においては、操作装置には所定の記憶媒体に記憶されている記憶内容を読み取ることができる記憶内容読取部が備えられている。したがって、前記記憶媒体の記憶内容を前記操作装置および前記第２の受信部を介して前記装置本体に伝送するようにすれば、前記記憶内容読取部に装着された記憶媒体の記憶内容が、その記憶容量のいかんにかかわらず適正に前記装置本体に伝送される。
【００１７】
このため、例えば、前記記憶内容読取部が前記装置本体側で取り扱うことができない種類の記憶媒体に対応している場合には、この記憶媒体が前記操作装置を介することで間接的に前記装置本体側で取り扱われることになるため、前記装置本体の機能が拡張される。
【００１８】
（３）前記操作装置は、前記操作装置が前記装着部に装着されたことを検出する検出部と、を備え、
前記記憶媒体が前記記憶内容読取部に装着された状態で、前記検出部によって前記操作装置が前記装着部に装着されたことが検出されたときには、前記記憶媒体の記憶内容に基づく信号を前記装置本体に出力することを特徴とする。
【００１９】
この構成においては、前記操作装置に自らが前記装置本体の前記装着部に装着されているか否かを判断するための検出部が備えられており、この検出部によって前記操作装置が前記装着部に装着されたことが検出された時に、前記記憶内容読取部に前記記憶媒体が装着されていると、この記憶媒体の記憶内容が前記操作装置から前記装置本体へと伝送される。
【００２０】
したがって、前記装置本体に伝送すべきデータを記憶した記憶媒体を前記操作装置に装着した状態で、前記操作装置を前記装置本体に装着すると自動的に前記データが前記装置本体へと伝送されるため、ユーザ側においてデータの伝送について特段の操作を行う必要がなくなる。
【００２１】
（４）前記第１の受信部と前記第２の受信部とが共通することを特徴とする。
【００２２】
この構成においては、前記第１の受信部と前記第２の受信部とが単一の受信部で構成され、遠隔操作時における前記操作装置の信号、および前記装着部に装着された状態における前記操作装置の信号が同一の受信部によって受信される。
【００２３】
したがって、受信部を複数設けることなく本発明が実現され、前記リモコンシステムの構成要素が減少することで低コスト化が図られる。
【００２４】
【発明の実施の形態】
以下、図を用いて本発明のリモコンシステムの実施形態であるオーディオシステムを説明する。
【００２５】
図１は、本発明の実施形態であるオーディオシステムの構成を示している。同図に示すように、オーディオシステムは、操作装置としてのリモコン１およびオーディオ本体２を備えている。このオーディオシステムでは、後述するように、リモコン１をオーディオ本体２から離れた位置で使用する通常の使用状態（図においてリモコン１′で示す。）の他に、リモコン１をオーディオ本体２に装着して使用することが可能になっている（図においてリモコン１″で示す。）。
【００２６】
リモコン１は、オーディオ本体２の動作を制御するためのリモコン信号等を送信するものであり、リモコンキー操作部１１、充電端子１２、および発信部１３を備えている。
【００２７】
リモコンキー操作部１１は、オーディオ本体２の再生／録音／停止等の動作の選択、ＣＤ／ＭＤ／チューナ等の音声の選択、およびクロックや音質等の詳細設定等を行う際に用いる複数の操作ボタンを備えている。リモコン１には充電可能な２次電池が内蔵されており、この２次電池への電力は充電端子１２を介して行われる。発信部１３は、オーディオ本体２に対して伝送すべきデータをリモコン信号として出力する。
【００２８】
また、リモコン１には、メモリカード３が装着される記憶内容読取部としてのメモリスロット４が設けられている。本実施形態では、メモリカード３には、ＭＰ３形式の音声データが記憶されており、リモコン１は、遠隔操作用の用途以外にもＭＰ３プレーヤとしても機能する。よって、本実施形態のオーディオシステムでは、オーディオ本体では、取り扱うことができないＭＰ３形式の音声データは、リモコン１をＭＰ３プレーヤとして用いることにより取り扱うことが可能になる。
【００２９】
一方、オーディオ本体２は、スピーカ２ａおよび音声再生ユニット２ｂを備えている。スピーカ２ａは、音声再生ユニット２ｂから出力される音声再生信号に基づいて音声を出力する。音声再生ユニット２ｂの外側には、第１の受信部２１、第２の受信部２２、およびリモコン装着部２３が設けられている。
【００３０】
第１の受信部２１および第２の受信部２２は、共にリモコン１から出力される赤外線等のリモコン信号を受信する点で共通している。ただし、後述するように、本実施形態で第１受信部２１は、原則として、リモコン１がオーディオ本体２から離れた位置にある場合に、リモコン１から出力されるリモコン信号を受信し、また、第２の受信部２２は、原則として、リモコン装着部２３に装着された状態のリモコン１から出力されるリモコン信号を受信するように構成されているため、それぞれの役割に多少の相違点がある。リモコン装着部２３は、リモコン１よりもやや大きめの矩形に形成されており、内部にリモコン１を収容することができる。
【００３１】
図２は、リモコン１をリモコン装着部２３に装着する際の状態を示している。同図に示すように、リモコン装着部２３では、リモコン１が収容されるリモコン収容ケース２４が、支軸２５を中心にしてオーディオ本体２に対して揺動自在に設けられている。このとき、図示しない角度規制部材によりリモコン収容ケース２４の揺動角度が最適な範囲に制限されている。また、リモコン装着部２３の底面には電力供給部２７の出力端子である電力供給端子２６が設けられている。
【００３２】
リモコン装着部２３に装着されるリモコン１は、リモコン収容ケース２４に挿入される。図２に示すように、リモコン１には、リモコンキー操作部１１の反対面の所定の位置に凹部が形成されており、この凹部には、外力の作用を検出する検出部１４が設けられている。一方で、リモコン装着部２３には、リモコン装着部２３に装着されたリモコン１の前記凹部に対向する位置に、前記凹部の内部に外力を作用させる凸部２８が形成されている。また、リモコン装着部２３の上面にはリモコン装着部２３に装着されたリモコン１の発信部１３に対向する位置に、発信部１３からの信号を受信する第２の受信部２２が設けられている。
【００３３】
図３は、本実施形態におけるリモコン１のブロック図である。同図に示すように、リモコン１は、上述のキー操作部１１、発信部１３、検出部１４、および充電端子１２の他に、カード接続端子１０１、インターフェース（Ｉ／Ｆ）回路部１０２、送信信号生成部１０３、変調回路部１０４、カード検出部１０５、制御部１０６、信号発生部１１０、リモコン装着検出部１０７、論理積（ＡＮＤ）回路１０９、電力部１０８を備えている。
【００３４】
カード接続端子１０１から発信部１３までの間に、Ｉ／Ｆ回路部１０２、送信信号生成部１０３、および変調回路部１０４がこの順に配置される。カード接続端子１０１は、メモリカード３に接続される。カード検出部１０５は、メモリスロット４にメモリカード３が装着されたことを検出する。Ｉ／Ｆ回路部１０２は、カード接続端子１０１の後段に配置されており、メモリカード３からの情報に係る信号をリモコン１に適合する形式の信号データに変換する。送信信号生成部１０３は、Ｉ／Ｆ回路部１０２で変換された信号データに基づいてワイヤレス送信をするための送信信号や誤り訂正符号を生成する。変調回路部１０４は、送信信号生成部１０３で生成された送信信号等を所定の変調信号を用いてＩｒＤＡコントロール方式に適合するように変調する。
【００３５】
一方、キー操作部１１から制御部１０６までの間には、信号発生部１１０が配置される。信号発生部１１０は、キー操作部１１を介して入力されるコマンドや設定情報等を所定の信号に変換して制御部１０６に出力する。
【００３６】
また、検出部１４から制御部１０６までの間には、リモコン装着検出部１０７および論理積（ＡＮＤ）回路１０９が配置される。リモコン装着検出部１０７は検出部１４に凸部２８からの押圧力が作用していることを検出し、所定の信号をＡＮＤ回路１０９の入力端子に入力させる。ＡＮＤ回路１０９は、２つの入力端子および単一の出力端子を備えており、２つの入力端子には、カード検出部１０５およびリモコン装着検出部１０７からの出力信号がそれぞれ入力される。また、ＡＮＤ回路１０９の出力端子は、制御部１０６に接続されている。
【００３７】
電力部１０８は、充電可能な２次電池を備えており、リモコン１の動作に必要な電力をリモコン１の各構成要素に供給する。制御部１０６は、ＣＰＵを備えており上述のリモコン１の各構成要素の動作を統括的に制御する。
【００３８】
上述のリモコン１の構成において、メモリカード３がリモコン１に装着されると、カード検出部１０５によってメモリカード３の装着が検出される。カード検出部１０５は、メモリカード３の装着を検出すると、「カード有り」を示す信号をＡＮＤ回路１０９に対して出力する。
【００３９】
また、リモコン１がオーディオ本体２のリモコン装着部２３に装着されると、充電端子１２を介して電力供給部２７から電力部１０８に電力が供給される。このとき、リモコン１側の検出部１４には、オーディオ本体２側の凸部２８からの外力が作用するため、リモコン装着検出部１０７によって「リモコン装着状態」を示す信号がＡＮＤ回路１０９に対して出力される。
【００４０】
一方、ＡＮＤ回路１０９では、上述の「カード有り」および「リモコン装着状態」の双方の信号が入力端子に入力されると、メモリカード３からの情報信号の送信動作をＡＣＴＩＶＥにする信号が出力端子から制御部１０６に対して出力される。そして、この信号が制御部１０６に入力されると、リモコン１の回路動作が、メモリカード３からの情報信号をリモコン送信するモードに設定され、メモリカード３の記憶内容がオーディオ本体２に対して出力される。
【００４１】
また、メモリカード３がリモコン１に装着され、メモリカード３内の記憶内容が読み取られると、当該記憶内容が、カード接続端子１０１、Ｉ／Ｆ回路部１０２、送信信号生成部１０３、変調回路部１０４、を介して発信部１３から赤外線信号として第２の受信部２２に向かって出力される。
【００４２】
なお、メモリカード３がリモコン１に未装着の状態のときには、制御部１０６は、キー操作部１１を介して入力されるコマンドや設定情報に関する信号の送信動作をＡＣＴＩＶＥにするため、リモコン１の回路動作が、通常のキー操作部１１からの制御信号をリモコン送信するモードに設定される。このとき、キー操作部１１に相当する制御信号が送信信号生成部１０３で生成され、変調回路部１０４を介して発信部１３から送出される。
【００４３】
以上のように、本実施形態においてリモコン１は、メモリカード３がメモリスロット４に装着されているときに、オーディオ本体２内のリモコン装着部２３に装着すると、キー操作部１１を操作しなくても、自動的にメモリカード３の記憶内容がリモコン信号としてオーディオ本体２に出力される。また、メモリカード３が装着されていないときは、通常のキー操作部１１に相当する制御信号等をリモコン信号として出力するように機能する。なお、リモコン収容ケース２４は、オーディオ本体２の前面側に開放しており、ユーザは、リモコン１をあたかもオーディオ本体２に備えられた操作パネルのように使用することが可能になっている。
【００４４】
図４は、本実施形態におけるオーディオ本体のブロック図である。同図に示すように、オーディオ本体２は、上述した第１の受信部２１、第２の受信部２２、電力供給部２７、電力供給端子２６、およびスピーカ部２０ａの他に、リモコン制御信号処理部２０１、データ復調部２０２、ストレージメモリ部２０３、制御部２０４、復号部２０５、デコーダ部２０６、およびアンプ部２０７を備えている。
【００４５】
オーディオ本体２を遠隔操作する時においては、リモコン１からの信号は第１の受信部２１に入力される。第１の受信部から制御部２０４までの間には、制御信号処理部２０１が配置される。制御信号処理部２０１は、遠隔操作時におけるリモコン１からの信号をデコードして制御部２０４に対して出力する。
【００４６】
一方、リモコン１をリモコン装着部２３に装着している状態では、リモコン１からの信号は第２の受信部２２に入力される。データ復調部２０２は、第２の受信部２２の後段に配置されており、第２の受信部２２入力された信号から音声データを取り出す。ストレージメモリ部２０３は、データ復調部２０２の後段に配置されており、データ復調部２０２で取り出された音声データを記憶するハードディスクドライブ（ＨＤＤ）等の大容量記憶装置を備えている。
【００４７】
復号部２０５は、著作権保護用の暗号等を復号（デクリプション）する。デコーダ部２０６は、圧縮データを伸長する。ここでは、ＭＰ３形式のデータをＷＡＶＥ形式のデータに変換している。アンプ部２０７は、デコーダ部２０６から供給される音声信号を増幅する。制御部２０４は、ＣＰＵを備えており、上述のオーディオ本体２の構成要素の動作を統括的に制御する。
【００４８】
リモコン１によりオーディオ本体２を遠隔操作する場合、リモコン１のキー操作部１１の操作に応じたリモコン信号がリモコン１の発信部１３から出力され、第１の受信部２１がこの制御信号を受信する。そして、このリモコン信号は、制御信号処理部２０１においてデコードされた後に制御部２０４に供給されるため、オーディオ本体２は当該リモコン信号に応じた所定の動作をする。
【００４９】
次に、メモリスロット４に装着されたメモリカード３内の音声データを、オーディオ本体２に伝送するときの動作について説明する。メモリカード３がメモリスロット４に装着された状態で、リモコン１がリモコン装着部２３に装着されると、リモコン１の充電端子１２とオーディオ本体２の電力供給端子２６とが電気的に接続される。このため、リモコン１は、充電端子１２および電力供給端子２６を介して、オーディオ本体２の電力供給部２７から電力供給を受けることが可能になる。
【００５０】
また、リモコン１側では、制御部１０６が「カード有り」かつ「リモコン装着状態」の認識を行うと、リモコン１がメモリカード３内の音声データに係る信号を、リモコン信号として出力する動作モードに設定される。なお、当該音声データは、リモコン信号として発信部１３から第２の受信部２２に対して出力される。第２の受信部２２で受信されたリモコン信号は、データ復調部２０２にて、該リモコン信号から音声データが取り出され、取り出された音声データはストレージメモリ部２０３に格納される。
【００５１】
ストレージメモリ部２０３に格納された音声データは、例えば、リモコン１のキー操作部１１またはオーディオ本体２に設けられている操作部において再生コマンド操作がされることにより、制御部２０４によって、ストレージメモリ部２０３に格納されている音声データが復号部２０５、デコーダ部２０６、およびアンプ部２０７を介してスピーカ部２０ａから音楽として再生される。
【００５２】
この実施形態によれば、音声データを格納したメモリカード３をリモコン１のメモリスロット４に装着した状態で、リモコン１をオーディオ本体２のリモコン装着部２３に装着することにより、メモリカード３内の音声データがオーディオ本体２に自動的に伝送される。そして、リモコン１に対する電力供給がオーディオ本体２の電力供給部２７によって行われるため、メモリカード３の音声データをオーディオ本体２に伝送するために長時間を要する場合でも、当該伝送の途中でリモコン１が電池切れになる等の不都合がなくなる。
【００５３】
また、リモコン装着部２３には、リモコン１を充電するための電力供給端子２６が設けられており、多大な電力を消費する音声データの伝送中に、リモコン１の２次電池の充電動作も完了することが可能であり、リモコン１の電池充電の回数を減少させることができる。
【００５４】
なお、本実施形態では、リモコン装着部２３にリモコン１が装着されると、自動的に電力の供給を行うようにしたが、リモコン１内の２次電池の残量に基づいて電力供給の要否を判断するようにしてもよい。
【００５５】
また、本実施形態では、第１の受信部２１および第２の受信部を、それぞれ別個に設けているが、第２の受信部のみでリモコン１からの信号を受信するようにすることもできる。この場合、例えば、オーディオ本体２の筐体の一部を透明にして、遠隔操作時においても、第２の受信部によってリモコン１からの信号が確実に受信されるようにするとよい。
【００５６】
【発明の効果】
以上のように、この発明によれば、以下の効果を奏することができる。
【００５７】
（１）リモコン等の操作装置を着脱自在に装着する装置本体の装着部に操作装置を装着すると、前記操作装置は電力供給部から電力の供給を受け得る状態になるとともに、装置本体側に設けられた第２の受信部によって、前記装着部に装着した前記操作装置から出力される信号を確実に受信できるようにしたことにより、前記操作装置から前記第２の受信部に信号が出力される際には、前記操作装置は、適宜、前記電力供給部からの電力供給を受けることができ、前記操作装置から前記第２の受信部に連続的に長時間にわたって信号の出力がされる場合でも、前記操作装置の電池が切れる等の不都合を防止することができる。
【００５８】
（２）操作装置に所定の記憶媒体に記憶されている記憶内容を読み取ることができる記憶内容読取部を設けたことにより、前記記憶媒体の記憶内容を前記操作装置および前記第２の受信部を介して前記装置本体に伝送するようにすれば、前記記憶内容読取部に装着された記憶媒体の記憶内容を、その記憶容量のいかんにかかわらず適正に前記装置本体に伝送することができる。
【００５９】
このため、例えば、前記記憶内容読取部が前記装置本体側で取り扱うことができない種類の記憶媒体に対応している場合には、この記憶媒体を、前記操作装置を介することで、間接的に前記装置本体側で取り扱うことが可能となり、前記装置本体の機能を拡張することができる。
【００６０】
（３）前記操作装置に自らが前記装置本体の前記装着部に装着されているか否かを判断するための検出部を設け、この検出部によって前記操作装置が前記装着部に装着されたことを検出した時に、前記記憶内容読取部に前記記憶媒体が装着されていると、この記憶媒体の記憶内容を前記操作装置から前記装置本体へと伝送するようにしたことにより、前記装置本体に伝送すべきデータを記憶した記憶媒体を前記操作装置に装着した状態で、前記操作装置を前記装置本体に装着すると自動的に前記データを前記装置本体へと伝送できるため、ユーザ側においてデータの伝送について特段の操作を行うことを不要にできる。
【００６１】
（４）前記第１の受信部と前記第２の受信部とを単一の受信部で構成したことにより、遠隔操作時における前記操作装置の信号、および前記装着部に装着された状態における前記操作装置の信号を同一の受信部によって受信できるため、受信部を複数設けることなく本発明を実現でき、前記リモコンシステムの構成要素を減少させて低コスト化を図ることができる。
【００６２】
よって、装置本体へデータを伝送中のリモコン等の操作装置に対しても電力の供給ができることにより、操作装置から装置本体に連続して長時間のデータの伝送が可能なリモコンシステムを提供することができる。
【図面の簡単な説明】
【図１】本実施形態におけるオーディオシステムの構成を示す図である。
【図２】リモコンを装着部に装着する際の状態を示す図である。
【図３】本実施形態に係るリモコンのブロック図である。
【図４】本実施形態に係るオーディオ本体のブロック図である。
【符号の説明】
１−リモコン
２−オーディオ本体
３−メモリカード
４−メモリスロット
２１−第１の受信部
２２−第２の受信部
２３−リモコン装着部
２４−リモコン収容ケース
２６−電力供給端子
２７−電力供給部
【図１】
2004145911.tif 000003
【図２】
2004145911.tif 000004
【図３】
2004145911.tif 000005
【図４】
2004145911.tif 000006